(57)【要約】【課題】組電池などの電池を構成する個々の電池の電池状態をわかりやすく表示することができる電池状態表示装置を提供すること。【解決手段】電池状態表示装置は、複数の個別電池から成る組電池１０１の電池状態を表示する。電池状態検出手段１０２は、電池状態の測定結果を示す測定結果情報を、個別電池ごとに取得する。制御手段１０４は、取得された測定結果情報に基づいて、個別電池ごとの電池状態を、表示手段１０５に表示させる。【選択図】図３Ａ
2012073175.tif 000002
【特許請求の範囲】
【請求項１】
複数の個別電池から成る電池の電池状態を表示する電池状態表示装置であって、
電池状態の測定結果を示す測定結果情報を、個別電池ごとに取得する取得手段と、
取得された測定結果情報に基づいて、個別電池ごとの電池状態を、表示手段に表示させる制御手段と、
を有する電池状態表示装置。
【請求項２】
前記制御手段は、前記複数の個別電池のうち予め選択された個別電池について取得された測定結果情報に基づいて、前記予め選択された個別電池の電池状態を表示させる、請求項１記載の電池状態表示装置。
【請求項３】
個別電池ごとの電池状態の測定結果は、個別電池ごとの劣化率の測定結果を含み、
前記制御手段は、前記複数の個別電池のうち予め選択された個別電池について取得された測定結果情報に基づいて、前記予め選択された個別電池の劣化率の時間推移を表示させる、請求項１記載の電池状態表示装置。
【請求項４】
個別電池ごとの電池状態の測定結果は、個別電池ごとの劣化率の測定結果を含み、
前記制御手段は、前記複数の個別電池のうち予め選択された個別電池について取得された測定結果情報に基づいて、前記予め選択された個別電池の交換時期を推定し、推定された交換時期を表示させる、請求項１記載の電池状態表示装置。
【請求項５】
前記制御手段は、前記複数の個別電池のうち２つ以上の個別電池についてそれぞれ取得された測定結果情報に基づいて、前記２つ以上の個別電池の電池状態を、相互に比較可能な形式で表示させる、請求項１、請求項３および請求項４のいずれかに記載の電池状態表示装置。
【請求項６】
前記複数の個別電池は、交換単位ごとに交換可能であり、
前記制御手段は、交換単位に含まれる２つ以上の個別電池についてそれぞれ取得された測定結果情報に基づいて、前記２つ以上の個別電池の電池状態を表示させる、請求項１記載の電池状態表示装置。
【発明の詳細な説明】
【技術分野】
【０００１】
本発明は、電池状態表示装置に関する。
【背景技術】
【０００２】
近年、環境に優しい自動車として、二次電池（以下、単に「電池」という）およびモータを搭載し、電池に蓄えられた電力でモータを駆動することにより走行する自動車（例えば、電気自動車およびハイブリッド自動車など）が、注目を集めている。
【０００３】
このような車両には一般に、組電池を構成する複数の電池が搭載される。例えば、複数の単位電池（以下「単電池」という）を接続することにより１つのモジュール電池が構成され、さらに複数のモジュール電池を接続することにより１つの組電池が構成される（例えば特許文献１）。なお、以下の説明においては、組電池を構成する電池（単電池およびモジュール電池）の総称として、「個別電池」という用語を用いることとする。
【０００４】
ところで、車両などに搭載された電池の電池状態を示す指標としては、健康状態（ＳＯＨ：State of Health）および充電状態（ＳＯＣ：State of Charge）がある。そして、電池状態を車両のユーザーなどに通知する装置として、ＳＯＨとＳＯＣをそれぞれ縦軸と横軸に配置することにより電池の状態を２次元表示する電池状態表示装置が、知られている（例えば特許文献２）。
【０００５】
ここで、「健康状態」および「ＳＯＨ」は、電池の劣化の進行状態を表す指標である。この指標の名称として「劣化率」または「劣化状態」などの用語が用いられる場合もある。以下の説明においては、「劣化率」という用語を用いることとする。劣化率については様々な定義が用いられ得るが、以下の説明においては、劣化率は百分率で表現されるものとし、劣化が最大レベルまで進行した状態（完全劣化状態）を「０％」と定義し、劣化が全く進行していない状態を「１００％」と定義する。
【０００６】
また、「充電状態」および「ＳＯＣ」は、電池の蓄電状態を表す指標である。この指標の名称として「充電率」などの用語が用いられる場合もある。以下の説明においては、「充電率」という用語を用いることとする。充電率についても様々な定義が用いられ得るが、以下の説明においては、充電率は百分率で表現されるものとし、電力が最大レベルまで蓄積された状態（満充電状態）を「１００％」と定義し、電力が全く蓄積されていない状態（放電状態）を「０％」と定義する。なお、電池は通常、α％（０＜α＜１００）からβ％（α＜β＜１００）までの充電率の範囲内で使用される。
【０００７】
劣化率の算出方法としては、電池の劣化とともに増加する電池の内部抵抗を測定し、測定された内部抵抗から、所定のテーブルを用いて劣化率を算出する方法が、知られている（例えば特許文献３）。
【０００８】
充電率の算出方法としては、電池の開放電圧を測定し、測定された開放電圧から、所定のテーブルを用いて充電率を算出する方法が、知られている（例えば特許文献４）。
【先行技術文献】
【特許文献】
【０００９】
【特許文献１】特開２００３−２４３０４４号公報
【特許文献２】特開２００７−９３３５８号公報
【特許文献３】特開平８−１３８７５９号公報
【特許文献４】特開２００５−１１７７２２号公報
【発明の概要】
【発明が解決しようとする課題】
【００１０】
しかしながら、上記従来の電池状態表示装置においては、組電池の全体としての状態を表示することはできるものの、組電池を構成する個別電池（単電池またはモジュール電池）の状態をわかりやすく表示することができなかった。このため、例えば、ハイブリッド自動車および電気自動車などのような組電池を搭載する車両において、どの個別電池が劣化していて交換を必要としているか、あるいは、劣化している個別電池の交換時期を、正確に知らせることは、容易ではなかった。
【００１１】
本発明の目的は、組電池などの電池を構成する個々の電池の電池状態をわかりやすく表示することができる電池状態表示装置を提供することである。
【課題を解決するための手段】
【００１２】
本発明の電池状態表示装置は、複数の個別電池から成る電池の電池状態を表示する電池状態表示装置であって、電池状態の測定結果を示す測定結果情報を、個別電池ごとに取得する取得手段と、取得された測定結果情報に基づいて、個別電池ごとの電池状態を、表示手段に表示させる制御手段と、を有する。
【発明の効果】
【００１３】
本発明によれば、組電池などの電池を構成する個々の電池の電池状態をわかりやすく表示することができる。
【図面の簡単な説明】
【００１４】
【図１】本発明の実施の形態１に係る電池状態表示装置の構成を示すブロック図
【図２】本発明の実施の形態１に係る電池状態表示装置の動作を説明するためのフロー図
【図３Ａ】本発明の実施の形態１に係る電池状態情報の第１の例を説明するための図
【図３Ｂ】本発明の実施の形態１に係る電池状態情報の第２の例を説明するための図
【図３Ｃ】本発明の実施の形態１に係る電池状態情報の第３の例を説明するための図
【図３Ｄ】本発明の実施の形態１に係る電池状態情報の第４の例を説明するための図
【図３Ｅ】本発明の実施の形態１に係る電池状態情報の第５の例を説明するための図
【図４】本発明の実施の形態２に係る電池状態表示装置の構成を示すブロック図
【図５】本発明の実施の形態２に係る電池状態表示装置の動作を説明するためのフロー図
【図６Ａ】本発明の実施の形態２に係る電池状態情報の第１の例を説明するための図
【図６Ｂ】本発明の実施の形態２に係る電池状態情報の第２の例を説明するための図
【発明を実施するための形態】
【００１５】
以下、本発明の実施の形態について、図面を用いて詳細に説明する。
【００１６】
（実施の形態１）
図１は、本発明の実施の形態１に係る電池状態表示装置の構成を示すブロック図である。電池状態表示装置の表示対象となるのは組電池１０１およびそれを構成する個別電池（つまり個々の単電池および複数の単電池からそれぞれ成る個々のモジュール電池）である。組電池１０１は、車載の二次電池（例えば、鉛電池、ニッケル水素電池またはリチウムイオン電池など）であり、前述のとおり、複数の単電池を接続することによりそれぞれ構成された複数のモジュール電池を接続することにより、構成されたものである。
【００１７】
電池状態表示装置は、電池状態検出手段１０２、設定手段１０３、制御手段１０４および表示手段１０５を有する。
【００１８】
電池状態検出手段１０２は、組電池１０１の単電池それぞれに接続された複数のセンサと、センサの出力に基づいて組電池１０１および個別電池の電池状態（つまり、劣化率および充電率）の測定を行う演算処理装置と、を含む。電池状態検出手段１０２は、本発明の取得手段を構成する。
【００１９】
電池状態検出手段１０２は、単電池の例えば内部抵抗をセンサにより検出し、検出された内部抵抗からその単電池の劣化率を算出する。電池状態検出手段１０２は、このような劣化率の算出を、組電池１０１内の各単電池について行う。
【００２０】
さらに、電池状態検出手段１０２は、モジュール電池の劣化率を、そのモジュール電池を構成する少なくとも１つの単電池の劣化率から算出する。モジュール電池の劣化率の値は、例えば、そのモジュール電池を構成する全単電池の劣化率の平均値または最小値などである。電池状態検出手段１０２は、このような劣化率の算出を、組電池１０１内の各モジュール電池について行う。
【００２１】
さらに、電池状態検出手段１０２は、組電池１０１の劣化率を、組電池１０１を構成する少なくとも１つの単電池またはモジュール電池の劣化率から算出する。組電池１０１の劣化率の値は、例えば、組電池１０１を構成する全単電池の劣化率の平均値または最小値などである。
【００２２】
また、電池状態検出手段１０２は、単電池の例えば開放電圧をセンサにより検出し、検出された開放電圧からその単電池の充電率を算出する。電池状態検出手段１０２は、このような充電率の算出を、組電池１０１内の各単電池について行う。
【００２３】
さらに、電池状態検出手段１０２は、モジュール電池の充電率を、そのモジュール電池を構成する少なくとも１つの単電池の充電率から算出する。モジュール電池の充電率の値は、例えば、そのモジュール電池を構成する全単電池の充電率の平均値または最小値などである。電池状態検出手段１０２は、このような充電率の算出を、組電池１０１内の各モジュール電池について行う。
【００２４】
さらに、電池状態検出手段１０２は、組電池１０１の充電率を、組電池１０１を構成する少なくとも１つの単電池またはモジュール電池の充電率から算出する。組電池１０１の充電率の値は、例えば、組電池１０１を構成する全単電池の充電率の平均値または最小値などである。
【００２５】
電池状態検出手段１０２は、個々の単電池の電池状態の測定結果を示す測定結果情報を生成して、この測定結果情報を制御手段１０４に出力する。また、電池状態検出手段１０２は、個々のモジュール電池の電池状態の測定結果を示す測定結果情報を生成して、この測定結果情報を制御手段１０４に出力する。また、電池状態検出手段１０２は、組電池１０１の電池状態の測定結果を示す測定結果情報を生成して、この測定結果情報を制御手段１０４に出力する。
【００２６】
設定手段１０３は、押しボタン、マイクまたはタッチパネルなどのような入力デバイスを備えたものであり、入力デバイスの操作に従って各種の設定を行い、その設定内容を制御手段１０４に出力する。設定される内容は、表示対象の電池、表示対象の電池状態指標、測定結果情報の表示形式および測定結果情報の並び順などである。表示対象の電池の設定においては、組電池１０１、任意の１つ以上のモジュール電池、もしくは任意の１つ以上の単電池、またはそれらの任意の組み合わせを選択することができる。表示対象の電池状態指標の設定においては、劣化率もしくは充電率、またはその両方を任意に選択することができる。測定結果情報の表示形式および並び順の設定においても、様々な選択肢からの任意の選択が可能である。
【００２７】
制御手段１０４は、演算処理装置により構成される。制御手段１０４は、電池状態検出手段１０２から出力された測定結果情報に基づいて、電池状態情報を、設定手段１０３から出力された設定内容に従って生成し、生成された電池状態情報を、表示手段１０５に出力して表示手段１０５に表示させる。表示手段１０５に表示される電池状態情報の具体例については後述する。
【００２８】
表示手段１０５は、液晶表示装置などのような表示デバイスである。
【００２９】
以上、電池状態表示装置の構成について説明した。
【００３０】
なお、電池状態表示装置は、組電池１０１が搭載された車両に内蔵されたもの（車載型）であってもよいし、車両から独立したもの（非車載型）であってもよい。車載型の構成の場合、表示手段１０５は車載ディスプレイである。非車載型の構成の場合、電池状態表示装置には、各単電池の内部抵抗を検出するセンサおよび各単電池の開放電圧を検出するセンサに接離可能で、これらのセンサの出力を受信するコネクタが、設けられる。
【００３１】
次いで、上記構成を有する電池状態表示装置の動作について、図２を用いて説明する。
【００３２】
まず、ステップＳ１０１では、ユーザーの入力操作に従って、設定手段１０３が、表示対象電池を設定する。例えば、ユーザーが、組電池１０１の電池状態を見たい場合は組電池１０１を選択することができる。ユーザーが、特定のモジュール電池の電池状態を見たい場合はその特定のモジュール電池を選択することができる。ユーザーが、特定の単電池の電池状態を見たい場合はその特定の単電池を選択することができる。ユーザーが、複数のモジュール電池または単電池の電池状態を一度に見たい場合はそれら複数のモジュール電池を選択することができる。
【００３３】
そして、ステップＳ１０２では、ユーザーの入力操作に従って、設定手段１０３が、表示対象の電池状態指標を設定する。例えば、ユーザーが、表示対象電池の劣化率を見たい場合は劣化率を選択することができる。ユーザーが、表示対象電池の充電率を見たい場合は充電率を選択することができる。ユーザーが、表示対象電池の劣化率および充電率を両方とも見たい場合は両方を選択することができる。
【００３４】
そして、ステップＳ１０３では、ユーザーの入力操作に従って、設定手段１０３が、測定結果情報の表示形式を設定する。具体的には、表示対象の電池状態指標の表示形状が選択される。表示形状の選択肢としては、円柱および直方体などがある。さらに、選択された表示形状においてどの属性を電池状態指標の値に対応させるかが選択される。属性の選択肢としては、太さおよび長さなどがある。
【００３５】
そして、ステップＳ１０４では、ユーザーの入力操作に従って、設定手段１０３が、測定結果情報の並び順を設定する。この設定は、ステップＳ１０１において複数の個別電池が表示対象の電池として設定された場合に行われるものであり、表示対象の電池として組電池１０１または１つの単電池もしくは１つのモジュール電池が設定された場合には行われない。並び順の選択肢としては、予め各個別電池に割り当てられている番号の順、および劣化率または充電率の高い順または低い順などがある。
【００３６】
そして、ステップＳ１０５では、電池状態検出手段１０２が、組電池１０１、各モジュール電池および各単電池の劣化率および充電率を測定し、その結果を示す測定結果情報を生成する。
【００３７】
そして、ステップＳ１０６では、制御手段１０４が、ステップＳ１０５で生成された測定結果情報に基づいて、電池状態情報を、上記ステップＳ１０１、Ｓ１０２、Ｓ１０３、Ｓ１０４において行われた設定に応じて生成する。
【００３８】
そして、ステップＳ１０７では、表示手段１０５が、ステップＳ１０６で生成された電池状態情報を表示する。
【００３９】
そして、ステップＳ１０８では、制御手段１０４が、表示中の電池状態情報の表示内容を変更すべきか否かを判定する。例えば、表示内容の変更を要求する入力操作がユーザーにより行われた場合に、制御手段１０４は、表示内容を変更すべきと判定する。制御手段１０４が表示内容を変更すべきと判定した場合（ステップＳ１０８：ＹＥＳ）、処理はステップＳ１０１に戻る。制御手段１０４が表示内容を変更すべきと判定しなかった場合（ステップＳ１０８：ＮＯ）、処理はステップＳ１０９に進む。
【００４０】
ステップＳ１０９では、制御手段１０４が、電池状態情報の表示を終了すべきか否かを判定する。例えば、表示の終了を要求する入力操作がユーザーにより行われた場合に、制御手段１０４は、表示を終了すべきと判定する。制御手段１０４が表示を終了すべきと判定しなかった場合（ステップＳ１０９：ＮＯ）、処理はステップＳ１０５に戻り、制御手段１０４が表示を終了すべきと判定した場合（ステップＳ１０９：ＹＥＳ）、電池状態情報の表示が終了し、処理は終了する。
【００４１】
このようにして、電池状態表示装置は電池状態情報の表示を行うことができる。任意の電池についての電池状態を示す電池状態情報を、任意の表示態様（つまり表示形式および並び順）で表示するため、ユーザーが求める情報をわかりやすく提供することができる。
【００４２】
ここで、表示手段１０５に表示される電池状態情報の具体例について、図３Ａ〜図３Ｅを用いて説明する。以下説明する電池状態情報はいずれも、複数のモジュール電池の電池状態を一括表示する状態一覧情報である。
【００４３】
図３Ａは、表示手段１０５に電池状態情報として表示される状態一覧情報の第１の例を説明するための図である。
【００４４】
図３Ａの例では、表示対象の電池が全てのモジュール電池（この例ではモジュール電池の総数は５つ）に設定され、表示対象の電池状態指標が劣化率のみに設定されている。また、各モジュール電池についての測定結果情報が円柱によって表現され、さらに劣化率の値が円柱の太さによって表現されるような設定が、なされている。また、各モジュール電池についての測定結果情報が、各モジュール電池の番号順で表示されるように、並び順が設定されている。
【００４５】
上記設定により、劣化の進行度合いに合わせて円柱の太さが変わるように各モジュール電池の劣化率が表示される。そのため、ユーザーは、劣化が進んでいるモジュール電池を容易に特定することができる。最小の半径を有する円柱（または円柱の表示なし）が劣化率０％に対応し、また、最大の半径を有する円柱が劣化率１００％に対応しているため、劣化の進行度合いに合わせて劣化率の円柱が細くなる。そのため、ユーザーは、劣化が進んでいるモジュール電池を一目で直感的に理解することができる。さらに、複数のモジュール電池についての劣化率が、相互に比較可能な形式で一括表示される。そのため、ユーザーは、他のモジュール電池に比べて相対的に劣化が進んでいるモジュール電池を容易に特定することができる。
【００４６】
図３Ｂは、表示手段１０５に電池状態情報として表示される状態一覧情報の第２の例を説明するための図である。
【００４７】
図３Ｂの例では、表示対象の電池が全てのモジュール電池（この例ではモジュール電池の総数は５つ）に設定され、表示対象の電池状態指標が充電率のみに設定されている。また、各モジュール電池についての測定結果情報が直方体によって表現され、さらに充電率の値が直方体の長さ（この例では高さ）によって表現されるような設定が、なされている。また、各モジュール電池についての測定結果情報が充電率の高い順で表示されるように、並び順が設定されている。
【００４８】
上記設定により、蓄電度合いに合わせて直方体の長さが変わるように各モジュール電池の充電率が表示される。そのため、ユーザーは、蓄電量が少なくなっているモジュール電池を容易に特定することができる。最小の長さを有する直方体（または直方体の表示なし）が充電率０％に対応し、また、最大の長さを有する直方体が充電率１００％に対応しているため、蓄電量の多さに合わせて充電率の直方体が短くなる。そのため、ユーザーは、蓄電量が少なくなっているモジュール電池を直感的に理解することができる。さらに、複数のモジュール電池についての充電率が、相互に比較可能な形式で一括表示される。しかも、個々のモジュール電池の充電率を表す直方体が充電率の高い順に並び替えられている。そのため、ユーザーは、他のモジュール電池に比べて相対的に蓄電量が少なくなっているモジュール電池を一目で特定することができる。
【００４９】
図３Ｃは、表示手段１０５に電池状態情報として表示される状態一覧情報の第３の例を説明するための図である。
【００５０】
図３Ｃの例では、表示対象の電池が全てのモジュール電池（この例ではモジュール電池の総数は５つ）に設定され、表示対象の電池状態指標が劣化率および充電率の両方に設定されている。また、各モジュール電池についての測定結果情報が直方体によって表現され、さらに劣化率の値が直方体の太さによって表現され、充電率の値が直方体の長さ（この例では高さ）によって表現されるような設定が、なされている。また、各モジュール電池についての測定結果情報が劣化率の低い順で表示されるように、並び順が設定されている。
【００５１】
上記設定により、個々のモジュール電池について、１つの直方体の形態によって劣化率および充電率が両方とも表現されるので、劣化が進行しているモジュール電池も蓄電量が少なくなっているモジュール電池も、容易に特定することができる。
【００５２】
図３Ｄは、表示手段１０５に電池状態情報として表示される状態一覧情報の第４の例を説明するための図である。
【００５３】
図３Ｄの例では、表示対象の電池が全てのモジュール電池（この例ではモジュール電池の総数は５つ）に設定され、表示対象の電池状態指標が劣化率および充電率の両方に設定されている。また、各モジュール電池についての測定結果情報が円柱によって表現され、さらに劣化率の値が円柱の太さによって表現され、充電率の値が円柱の長さ（この例では高さ）によって表現されるような設定が、なされている。また、各モジュール電池についての測定結果情報が、各モジュール電池の番号順で表示されるように、並び順が設定されている。
【００５４】
上記設定により、個々のモジュール電池について、劣化率を表す円柱と充電率を表す円柱とが上下に並べて表示されるので、劣化が進行しているモジュール電池も蓄電量が少なくなっているモジュール電池も、容易に特定することができる。
【００５５】
図３Ｅは、表示手段１０５に電池状態情報として表示される状態一覧情報の第５の例を説明するための図である。
【００５６】
図３Ｅの例では、表示対象の電池が全てのモジュール電池（この例ではモジュール電池の総数は５つ）に設定され、表示対象の電池状態指標が劣化率のみに設定されている。また、各モジュール電池についての測定結果情報が長方形によって表現され、さらに劣化率の値が長方形の長さ（この例では高さ）によって表現されるような設定が、なされている。また、各モジュール電池についての測定結果情報が劣化率の高い順で表示されるように、並び順が設定されている。
【００５７】
図３Ｅの例では、測定結果情報が３次元の形状によって表現されている図３Ａ〜図３Ｄの例と異なり、測定結果情報が２次元の形状によって表現されているが、２次元の形状でも、劣化率の進行度合いをユーザーに対してわかりやすく提供することができる。
【００５８】
以上、状態一覧情報についての幾つかの具体例を説明したが、設定のバリエーションは前述のものだけに限定されない。例えば、上記の例ではいずれも、表示対象電池がモジュール電池に設定されているが、単電池でもよいし組電池１０１でもよい。また、モジュール電池あるいは単電池が表示対象電池として設定される場合、選択されるモジュール電池あるいは単電池は、組電池１０１を構成する全てのモジュール電池あるいは全ての単電池でなくてもよい。また、測定結果情報の表示形式として選択される形状は、円錐、三角錐および正方形などであってもよい。
【００５９】
このように、本実施の形態によれば、組電池１０１の電池状態の測定結果を示す測定結果情報を、個別電池ごとに取得し、取得された測定結果情報に基づいて、個別電池ごとの電池状態を表示する。これにより、組電池１０１全体としての電池状態だけでなく、組電池１０１を構成する個々の単電池あるいはモジュール電池の電池状態も、ユーザーに対してわかりやすく提供することができる。例えば、組電池１０１全体としては電池状態が良好であったとしても、いずれかの個別電池の電池状態が良好でない場合には、それをユーザーに知らせることが可能となる。したがって、ユーザーは、組電池１０１が搭載された車両のメンテナンスに関して有用な情報を得ることができ、ユーザーにとっての利便性を著しく向上させることができる。
【００６０】
なお、本実施の形態では、車両に１つの組電池１０１が搭載された場合について説明したが、車両に搭載可能な組電池の個数は複数であってもよい。この場合、組電池は単電池およびモジュール電池と同様に個別電池として扱うことができる。すなわち、複数の組電池の電池状態を組電池ごとに表示することができる。
【００６１】
（実施の形態２）
図４は、本発明の実施の形態２に係る電池状態表示装置の構成を示すブロック図である。本実施の形態では、実施の形態１で説明したものと同一の構成要素には同一の参照番号を付してその詳細な説明を省略し、実施の形態１との相違点を中心に説明する。
【００６２】
電池状態表示装置は、表示手段１０５、電池状態検出手段２０２、設定手段２０３、制御手段２０４および履歴保持手段２０６を有する。
【００６３】
電池状態検出手段２０２は、組電池１０１の単電池それぞれに接続された複数のセンサと、センサの出力（例えば各単電池の内部抵抗の測定結果）に基づいて組電池１０１および個別電池の電池状態のうち劣化率の測定を行う演算処理装置と、を含む。電池状態検出手段２０２は、本発明の取得手段を構成する。
【００６４】
電池状態検出手段２０２は、組電池１０１内の各単電池の劣化率を算出する。また、電池状態検出手段２０２は、組電池１０１内の各モジュール電池の劣化率を算出する。また、電池状態検出手段２０２は、組電池１０１の劣化率を算出する。
【００６５】
電池状態検出手段２０２は、個々の単電池の劣化率の測定結果を示す測定結果情報を生成して、この測定結果情報を制御手段２０４に出力する。また、電池状態検出手段２０２は、個々のモジュール電池の劣化率の測定結果を示す測定結果情報を生成して、この測定結果情報を制御手段２０４に出力する。また、電池状態検出手段２０２は、組電池１０１の劣化率の測定結果を示す測定結果情報を生成して、この測定結果情報を制御手段２０４に出力する。
【００６６】
設定手段２０３は、押しボタン、マイクまたはタッチパネルなどのような入力デバイスを備えたものであり、入力デバイスの操作に従って各種の設定を行い、その設定内容を制御手段２０４に出力する。設定される内容は、表示対象の電池および測定結果情報の表示形式などである。表示対象の電池の設定においては、組電池１０１、任意の１つ以上のモジュール電池、もしくは任意の１つ以上の単電池、またはそれらの任意の組み合わせを選択することができる。測定結果情報の表示形式においても、様々な選択肢からの任意の選択が可能である。
【００６７】
制御手段２０４は、演算処理装置により構成される。制御手段２０４は、電池状態検出手段２０２から出力された測定結果情報を、その測定時期を示す測定時期情報と共に履歴保持手段２０６に保存する。そして、制御手段２０４は、履歴保持手段２０６に蓄積された現在までの測定結果情報および測定時期情報に基づいて、電池の交換時期を推定する。さらに、制御手段２０４は、推定に用いた情報および推定された交換時期を示す交換時期情報に基づいて、電池状態情報を、設定手段２０３から出力された設定内容に従って生成し、生成された電池状態情報を、表示手段１０５に出力して表示手段１０５に表示させる。表示手段１０５に表示される電池状態情報の具体例については後述する。なお、電池の交換時期とは、電池を交換する時期として推奨される時期である。
【００６８】
履歴保持手段２０６は、ハートディスクおよび半導体記憶装置などのような記憶装置である。
【００６９】
以上、電池状態表示装置の構成について説明した。
【００７０】
次いで、上記構成を有する電池状態表示装置の動作について、図５を用いて説明する。
【００７１】
まず、ステップＳ２０１では、ユーザーの入力操作に従って、設定手段２０３が、表示対象電池を設定する。例えば、ユーザーが、組電池１０１の劣化率を見たい場合は組電池１０１を選択することができる。ユーザーが、特定のモジュール電池の劣化率を見たい場合はその特定のモジュール電池を選択することができる。ユーザーが、特定の単電池の劣化率を見たい場合はその特定の単電池を選択することができる。
【００７２】
そして、ステップＳ２０２では、ユーザーの入力操作に従って、設定手段２０３が、測定結果情報に含まれる劣化率の表示形式を設定する。表示形状の選択肢としては、円柱および直方体などがある。さらに、選択された表示形状においてどの属性を劣化率の値に対応させるかが選択される。属性の選択肢としては、太さおよび長さなどがある。
【００７３】
そして、ステップＳ２０３では、電池状態検出手段２０２が、組電池１０１、各モジュール電池および各単電池の劣化率を測定し、その結果を示す測定結果情報を生成する。
【００７４】
そして、ステップＳ２０４では、制御手段２０４が、測定された劣化率を示す測定結果情報を、その測定時期を示す測定時期情報と共に、履歴保持手段２０６に保存する。
【００７５】
そして、ステップＳ２０５では、制御手段２０４が、表示対象電池の履歴、つまり表示対象電池について履歴保持手段２０６に蓄積されている現在までの測定結果情報および測定時期情報を、履歴保持手段２０６から読み出す。
【００７６】
そして、ステップＳ２０６では、制御手段２０４が、表示対象電池の交換時期を、表示対象電池の履歴に基づいて推定し、推定された交換時期を示す交換時期情報を生成する。
【００７７】
そして、ステップＳ２０７では、制御手段２０４が、表示対象電池の履歴および生成された交換時期情報に基づいて、電池状態情報を、上記ステップＳ２０１、Ｓ２０２において行われた設定に応じて生成する。
【００７８】
そして、ステップＳ２０８では、表示手段１０５が、ステップＳ２０７で生成された電池状態情報を表示する。
【００７９】
そして、ステップＳ２０９では、制御手段２０４が、表示中の電池状態情報の表示内容を変更すべきか否かを判定する。例えば、表示内容の変更を要求する入力操作がユーザーにより行われた場合に、制御手段２０４は、表示内容を変更すべきと判定する。制御手段２０４が表示内容を変更すべきと判定した場合（ステップＳ２０９：ＹＥＳ）、処理はステップＳ２０１に戻る。制御手段２０４が表示内容を変更すべきと判定しなかった場合（ステップＳ２０９：ＮＯ）、処理はステップＳ２１０に進む。
【００８０】
ステップＳ２１０では、制御手段２０４が、電池状態情報の表示を終了すべきか否かを判定する。例えば、表示の終了を要求する入力操作がユーザーにより行われた場合に、制御手段２０４は、表示を終了すべきと判定する。制御手段２０４が表示を終了すべきと判定しなかった場合（ステップＳ２１０：ＮＯ）、処理はステップＳ２０３に戻り、制御手段２０４が表示を終了すべきと判定した場合（ステップＳ２１０：ＹＥＳ）、電池状態情報の表示が終了し、処理は終了する。
【００８１】
このようにして、電池状態表示装置は電池状態情報の表示を行うことができる。任意の電池についての劣化率を示す電池状態情報を、任意の表示態様（つまり表示形式）で表示するため、ユーザーが求める情報をわかりやすく提供することができる。
【００８２】
ここで、表示手段１０５に表示される電池状態情報の具体例について、図６Ａおよび図６Ｂを用いて説明する。以下説明する電池状態情報はいずれも、特定の１つのモジュール電池の劣化率の推移を示す劣化推移情報である。
【００８３】
図６Ａは、表示手段１０５に電池状態情報として表示される劣化推移情報の第１の例を説明するための図である。
【００８４】
図６Ａの例では、表示対象電池が、予め番号ｉが付与されているモジュール電池（電池ｉ）に設定されており、劣化率の表示形式として長方形の長さ（この例では高さ）が選択されている。よって、表示対象として選択されたモジュール電池の劣化率の推移（この例では、過去５ヶ月間の月次推移）が、棒グラフのような形式で表示される。
【００８５】
図６Ａに示す劣化推移情報において、参照番号６０１は、過去５ヶ月分の劣化率から、最小二乗法などの方法で算出された回帰直線である。参照番号６０２は、電池の交換推奨レベルであり、その値γ％（０＜γ＜１００）は、予め設定された値である。参照番号６０３は、線６０１、６０２の交点であり、その横軸座標は、このモジュール電池の劣化率が交換推奨レベルに到達すると見込まれる時期、つまり、このモジュール電池の交換時期を示す。すなわち、このモジュール電池の交換時期の推定は、線６０１、６０２の交点座標を算出することにより行うことができる。図６Ａの例では、推定された交換時期６０４が文字として表示される。
【００８６】
図６Ｂは、表示手段１０５に電池状態情報として表示される劣化推移情報の第２の例を説明するための図である。
【００８７】
図６Ｂの例では、表示対象電池が、予め番号ｉが付与されているモジュール電池（電池ｉ）に設定されており、劣化率の表示形式として円柱の太さが選択されている。よって、表示対象として選択されたモジュール電池の劣化率の推移（この例では、過去５ヶ月間の月次推移）が、異なる径を有する同心の円柱によって表現される。
【００８８】
図６Ｂに示す劣化推移情報において、参照番号６０５によって示された円は、予め設定されている電池の交換推奨レベル（γ％）である。モジュール電池の交換時期は、劣化率の履歴および交換推奨レベルを、図６Ａのように、２次元平面に投影し、劣化率の履歴から最小二乗法などの方法で算出された回帰直線と交換推奨レベルの線との交点から算出することにより、推定することができる。推定された交換時期６０６は、図６Ａと同様、文字として表示される。
【００８９】
以上、劣化推移情報についての幾つかの具体例を説明したが、設定のバリエーションは前述のものだけに限定されない。例えば、上記の例ではいずれも、表示対象電池がモジュール電池に設定されているが、単電池でもよいし組電池１０１でもよい。また、表示対象電池として選択される電池の個数は１つでなく複数であってもよい。例えば、複数の単電池あるいは複数のモジュール電池で１つの交換単位が形成され、交換単位ごとに交換可能となるように組電池１０１が構成されている場合、交換単位ごとに推定と表示が行われるように表示対象電池を設定すると、ユーザにとって非常に便利である。また、表示形式としては、折れ線グラフなどの形式も採用可能である。また、上記の例では、表示対象の期間は過去５ヶ月であったが、期間の長さも適宜変更可能である。また、上記の例では、交換時期の推定のために回帰直線を算出したが、スプラインなどのような曲線を算出してもよい。また、上記の例では、劣化率の推移を１ヶ月単位の推移としたが、１ヶ月単位でなくとも構わない。
【００９０】
このように、本実施の形態によれば、組電池１０１の電池状態の測定結果を示す測定結果情報を、個別電池ごとに取得し、取得された測定結果情報に基づいて、個別電池ごとの電池状態を表示する。これにより、組電池１０１全体としての電池状態だけでなく、組電池１０１を構成する個々の単電池あるいはモジュール電池の電池状態も、ユーザーに対してわかりやすく提供することができる。特に、本実施の形態では、特定の個別電池の劣化の推移に関する情報をユーザーに対してわかりやすく提供することができる。よって、例えば、組電池１０１全体としては電池状態が良好であったとしても、いずれかの個別電池の劣化が相当程度進行している場合には、それをユーザーに知らせることが可能となる。したがって、ユーザーは、組電池１０１が搭載された車両のメンテナンスに関して有用な情報を得ることができ、ユーザーにとっての利便性を著しく向上させることができる。さらに、本実施の形態によれば、特定の個別電池の交換時期を推定し、これを表示するため、ユーザーは、個別電池の交換時期を一目で理解することができる。
【００９１】
なお、本実施の形態では、車両に１つの組電池１０１が搭載された場合について説明したが、車両に搭載可能な組電池の個数は複数であってもよい。この場合、組電池は単電池およびモジュール電池と同様に個別電池として扱うことができる。すなわち、複数の組電池の電池状態を組電池ごとに表示することができる。
【００９２】
また、本実施の形態は、実施の形態１と組み合わせて実施することができる。
【００９３】
以上、本発明の各実施の形態について説明した。なお、上記の構成および動作の説明は本発明の好適な実施の形態の例証であり、本発明の範囲はこれに限定されず、上記各実施の形態は種々変更して実施することができる。
【産業上の利用可能性】
【００９４】
本発明の電池状態表示装置は、組電池などの電池を構成する個々の電池の電池状態をわかりやすく表示することができる効果を有し、例えば車載電池の電池状態を表示する電池状態表示装置として有用である。
【符号の説明】
【００９５】
１０１  組電池
１０２、２０２  電池状態検出手段
１０３、２０３  設定手段
１０４、２０４  制御手段
１０５  表示手段
２０６  履歴保持手段
【図１】
2012073175.tif 000003
【図２】
2012073175.tif 000004
【図４】
2012073175.tif 000005
【図５】
2012073175.tif 000006
【図６Ｂ】
2012073175.tif 000007
【図３Ａ】
2012073175.tif 000008
【図３Ｂ】
2012073175.tif 000009
【図３Ｃ】
2012073175.tif 000010
【図３Ｄ】
2012073175.tif 000011
【図３Ｅ】
2012073175.tif 000012
【図６Ａ】
2012073175.tif 000013